(57)【要約】【課題】発光ダイオードの交換等を容易に行うことができるとともに、それを保護することが可能な照明装置を提供する。【解決手段】左右方向を向く照明ケース４を、下端と左右両端が開口する側面視下向コ字状断面をなす形状とし、その前後の垂下片４ｂの対向面に、左右方向を向くとともに、両側端部が開口する上部溝条９と下部溝条１０とを、それぞれ対をなして対向するように設け、上部溝条９の対向部と両側端部とに、それぞれ複数の発光ダイオード５等を有する基板６の前後の端縁と、照明ケース４の左右の開口面を覆うカバーの嵌合片とを嵌合するとともに、下部溝条１０に、照明ケース４の下端の開口面を覆う透光板８を嵌合する。【選択図】  図３
2008123863.tif 000002
【特許請求の範囲】
【請求項１】
左右方向を向く照明装置本体における照明ケースを、下端と左右両端が開口する側面視下向コ字状断面をなす形状とし、該照明ケースにおける前後の垂下片の対向面に、左右方向を向くとともに、両側端部が開口する上部溝条と下部溝条とを、それぞれ対をなして対向するように設け、前記両上部溝条の対向部と両側端部とに、それぞれ複数の発光ダイオード等を有する基板の前後の端縁と、前記照明ケースの左右の開口面を覆うカバーの嵌合片とを嵌合するとともに、前記下部溝条に、前記照明ケースの下端の開口面を覆う透光板を嵌合したことを特徴とする照明装置。
【請求項２】
照明ケースを、押し出し成形品よりなるものとしたことを特徴とする請求項１に記載の照明装置。
【請求項３】
前後の垂下片における下部溝条と近接する上方に、左右方向を向く第２下部溝条を対向状に設け、この第２下部溝条に、下向き円弧状に湾曲する反射板の前後の端縁を嵌合したことを特徴とする請求項１または２に記載の照明装置。
【請求項４】
透光板を、照明ケースの左右寸法よりも短寸とし、前後の下部溝条における左右いずれか一方の端部に、照明装置本体を支持するスタンドの取付板を嵌合したことを特徴とする請求項１ないし３のいずれかに記載の照明装置。
【請求項５】
取付板の下面に、雄ねじ筒を下向きに突設するとともに、取付板に、照明ケース内と前記雄ねじ筒に連通する連通孔を設けたことを特徴とする請求項４に記載の照明装置。
【発明の詳細な説明】
【技術分野】
【０００１】
本発明は、光源に複数の発光ダイオードを用いてなる照明装置に関する。
【背景技術】
【０００２】
この種の発光ダイオードを用いた照明装置としては、例えば特許文献１に記載されているものがある。
【０００３】
【特許文献１】特開２００１−２５０４２０号公報(第１図、第２図）
【発明の開示】
【発明が解決しようとする課題】
【０００４】
上記特許文献１に記載されている照明装置においては、発光ダイオードが直接棚板の下面の凹溝に埋設されているため、発光ダイオードが切れた際の交換等が面倒である。また、発光ダイオードを保護する部材や透光板も有していないため、発光ダイオードが汚れて照明が暗くなったり、それを損傷させたりする恐れがある。
【０００５】
本発明は、上記問題点を解決するためになされたもので、発光ダイオードの交換等を容易に行うことができるとともに、それを保護することが可能な照明装置を提供することを目的としている。
【課題を解決するための手段】
【０００６】
上記課題を解決するために、本発明の請求項１に記載の照明装置は、
左右方向を向く照明装置本体における照明ケースを、下端と左右両端が開口する側面視下向コ字状断面をなす形状とし、該照明ケースにおける前後の垂下片の対向面に、左右方向を向くとともに、両側端部が開口する上部溝条と下部溝条とを、それぞれ対をなして対向するように設け、前記両上部溝条の対向部と両側端部とに、それぞれ複数の発光ダイオード等を有する基板の前後の端縁と、前記照明ケースの左右の開口面を覆うカバーの嵌合片とを嵌合するとともに、前記下部溝条に、前記照明ケースの下端の開口面を覆う透光板を嵌合したことを特徴としている。
この特徴によれば、照明ケースを両側端が開口する下向コ字状とし、その前後の垂下片の対向面に、左右両端が開口する上部溝条と下部溝条を設けているので、それらに、基板や透光板及びカバーを、側方から簡単に装着することができる。
また、透光板を、抜き外すことにより、発光ダイオード等の交換作業等を下方から容易に行うことができるとともに、下向コ字状の照明ケースと透光板とにより、発光ダイオードを保護することができる。
【０００７】
本発明の請求項２に記載の照明装置は、請求項１に記載の照明装置であって、
照明ケースを、押し出し成形品よりなるものとしたことを特徴としている。
この特徴によれば、上部溝条や下部溝条を、照明ケースの成形と同時に簡単に形成することができる。
【０００８】
本発明の請求項３に記載の照明装置は、請求項１または２に記載の照明装置であって、
前後の垂下片における下部溝条と近接する上方に、左右方向を向く第２下部溝条を対向状に設け、この第２下部溝条に、下向き円弧状に湾曲する反射板の前後の端縁を嵌合したことを特徴としている。
この特徴によれば、反射板も照明ケースに簡単に装着しうるとともに、下方を明るく照明することができる。
【０００９】
本発明の請求項４に記載の照明装置は、請求項１ないし３のいずれかに記載の照明装置であって、
透光板を、照明ケースの左右寸法よりも短寸とし、前後の下部溝条における左右いずれか一方の端部に、照明装置本体を支持するスタンドの取付板を嵌合したことを特徴としている。
この特徴によれば、スタンドの取付板も照明ケースに簡単に装着して、その取付板にスタンドを取り付け、照明装置本体をスタンドにより支持することができる。
【００１０】
本発明の請求項５に記載の照明装置は、請求項４に記載の照明装置であって、
取付板の下面に、雄ねじ筒を下向きに突設するとともに、取付板に、照明ケース内と前記雄ねじ筒に連通する連通孔を設けたことを特徴としている。
この特徴によれば、スタンドの上端部を、雄ねじ筒に嵌合してナットにより固定することにより、照明装置本体をスタンドに容易に取付けることができる。
また、連通孔を通して、基板に接続した電源線を、スタンドの下方に容易に配線することができる。
【発明を実施するための最良の形態】
【００１１】
以下、本発明の実施形態を、図面に基づいて説明する。図１は、本発明を適用したスタンド型の照明装置の正面図、図２は、要部の中央縦断正面図で、照明装置１は、照明装置本体２と、それを支持するスタンド３とからなっている。
【００１２】
照明装置本体２は、図３の断面図にも示すように、下端面と両側端面が開口された側面視下向きコ字状断面をなす左右方向に長い照明ケース４と、この照明ケース４内に収納された、複数の発光ダイオード（以下、ＬＥＤと略称する）５が左右方向に一定間隔で取付けられた基板６と、反射板７と、照明ケース４の下端面を覆う透光板８とを備えている。
【００１３】
照明ケース４は、アルミニウム合金または硬質合成樹脂等の押し出し成形品よりなり、上辺４ａと前後の垂下片４ｂ、４ｂとが交叉する内部の上端隅部と、両垂下片４ｂの下端の対向面とには、それぞれ、左右両端が開口する上部溝条９と下部溝条１０とが、互いに対をなして対向するように、左右方向に全長に亘って形成されている。また、両垂下片４ｂの中間部の対向面には、円周の一部が切除されたＣ字状断面の突条１１が、左右方向全長に亘って形成されている。
【００１４】
さらに、両垂下片４ｂの下端より若干上方の対向面には、溝幅の小さな第２下部溝条１２が対向して形成されている。上記上部溝条９と、下部溝条１０と、第２下部溝条１２は、ほぼ内向きコ字状断面をなしている。
【００１５】
前後に対向する上部溝条９には、上記基板６が、その前後の端縁を保持する１対の保持部材１３、１３を、照明ケース４の一方の側端より挿入して嵌合することにより、上辺４ａの下面に当接するようにして左端まで嵌合されている。また、下部溝条１０には、照明ケース４の左右寸法より所定寸法短寸とした上記透光板８の前後の端縁部が、照明ケース４の一方の側端より挿入して嵌合することにより、照明ケース４の下端面と同一面をなすように取付けられている。さらに、前後の第２下部溝条１２には、基板６よりも若干短寸の薄肉かつ可撓性の上記反射板７の前後の端縁が、透光板８を取付ける前において側面視下向き円弧状に湾曲させて、下方または側方より嵌合されている。
【００１６】
図４に示すように、基板６の中央部の左右複数箇所は、上辺４ａの下面に設けた雌ねじ孔１４に下方より螺挿した止めねじ１５により固定されている。なお、上辺４ａの中央部は、その上面に左右方向を向く突条１６を形成することにより厚肉とされ、雌ねじ孔１４を形成して薄肉となった部分の強度が低下するのを防止している。
【００１７】
上記基板６は、照明ケース４の左右寸法よりも所定寸法短寸とされ、ＬＥＤ５が取付けられていない右端部の下面には、全てのＬＥＤ５を点灯及び消灯させる押しボタンスイッチ１７が取付けられている。この押しボタンスイッチ１７は、透光板８の右端部に穿設された取付孔１８に上方より嵌合された拡径鍔１９ａを有する操作ボタン１９を介して押動することができるようになっている。なお、操作ボタン１９は、透光板８を照明ケース４に取付ける前に、取付孔１８に上方より嵌合し、照明ケース４の下部溝条１０に透光板８を所定位置まで嵌合したとき、押しボタンスイッチ１７の下面に近接するようになっている。
【００１８】
図２及び図５に示すように、照明ケース４の右端部（基端部）の下部溝条１０、１０には、下面中央に下向きの雄ねじ筒２０を有する上記スタンド３の取付板２１が、照明ケース４の側端より嵌合して取付けられている。取付板２１は、その厚さを右端部側に向かって漸次薄肉とすることにより、下面が左下方に向かって若干傾斜している。雄ねじ筒２０には、スタンド３における上端部の正面視ほぼ下向きコ字状の取付部材２２の上面板２２ａが嵌合され、雄ねじ筒２０に螺合したナット２３により固定されている。これにより、照明装置本体２の右端部が、スタンド３の上端に取付けられている。取付板２１には、照明ケース４内と雄ねじ筒２０に連通する連通孔２４が穿設され、基板６に接続した電源線２５をスタンド３の下方に配線しうるようになっている。
【００１９】
図２、図５及び図６に示すように、照明ケース４の右端の開口面には、前後寸法と上下寸法が照明ケース４のそれよりも若干短寸の内カバー２６と、その外面を覆いうる大きさの外カバー２７とからなる側面カバー２８が取付けられている。内カバー２６は、その内側面（左側面）に突設された側面視内向きＬ字状断面をなす前後１対の嵌合片２６ａ、２６ａを、前後の上部溝条９の側端部に嵌合することにより止着され、かつ中央部の左右両側部に挿入した止めねじ２９、２９を、照明ケース４における中間部の突条１１の側端部内に螺合することにより、抜け止めされている。
【００２０】
外カバー２７は、その下端部中央の内側面に突設された取付片２７ａを、内カバー２６の下端中央の内側面に突設された、照明ケース４内に位置する取付片２６ｂの下面に当接させた状態で、両取付片２６ｂ、２７ａに穿設された雌ねじ孔３０に、上記取付板２１の下方より挿入した皿ねじ３１を螺合することにより、内カバー２６に固定されている。
【００２１】
図２に示すように、照明ケース４の左端の開口面にも、側面カバー３２が取付けられている。側面カバー３２は、その内側面（右側面）に突設された上記内カバー２６の嵌合片２６ａと同形の前後１対の嵌合片３２ａを、前後の上部溝条９の側端部に嵌合するとともに、両嵌合片３２ａ間に内向き突設された弾性係合片３２ｂにおける先端の上向爪部３３を、照明ケース４の側端部下面に形成された係合溝３４に弾性係合させることにより、止着されている。なお、取付時の位置決めを容易とするために、側面カバー３２の中央部の内側面に突設された前後１対の軸状突片３５も、突条１１の側端部に嵌合するようにしている。
【００２２】
以上説明したように、上記実施形態においては、照明ケース４を、両側端が開口する下向コ字状断面をなす形状とし、その前後の垂下片４ｂの対向面に、左右両端が開口する上部溝条９、下部溝条１０及び第２下部溝条１２を設けたことにより、それらに、ＬＥＤ５や押しボタンスイッチ１７を有する基板６、反射板７、透光板８及び左右の側面カバー２８、３２を、側方から嵌合するだけで、照明ケース４への各部材の取付作業を極めて容易に行うことができる。また、右方の側面カバー２８を取外せば、透光板８を側方に引き抜くことができるので、ＬＥＤ５や押しボタンスイッチ１７の交換等を、下方より簡単に行うことができる。
【００２３】
さらに、照明装置本体２に、スタンド３を、照明ケース４の下部溝条１０に嵌合した、雄ねじ筒２０を有する取付板２１を使用して容易に取付けることができる。ＬＥＤ５は、照明ケース４と透光板８により覆われて保護されているので、汚れたり、損傷したりすることはなく、長寿命となる。
【００２４】
本発明は、上記実施形態に限定されるものではなく、種々の実施形態をとりうる。
【００２５】
上記実施形態では、右方の側面カバー２８を、内カバー２６と外カバー２７とからなるものとしているが、１個の側面カバーを、単に上部溝条９の側端部に着脱可能に装着し、ねじ２９、３１を省略してもよい。
【００２６】
また、第２下部溝条１２や、それに嵌合する反射板７は、省略して実施してもよい。
【００２７】
上記実施形態では、スタンド型の照明装置としているが、スタンド３を省略し、照明装置本体２のみを、学習机や照明が必要な什器の棚板等の下面に取付けてもよい。この際には、スタンド３の取付板２１は必要なく、照明ケース４の下部溝条１０の全長に、透光板８を嵌合すればよい。
【図面の簡単な説明】
【００２８】
【図１】本発明の照明装置の一実施形態の正面図である。
【図２】同じく、照明装置本体の中央縦断拡大正面図である。
【図３】図２のＩＩＩ−ＩＩＩ線に沿う拡大縦断側面図である。
【図４】同じく、ＩＶ−ＩＶ線に沿う拡大縦断側面図である。
【図５】同じく、Ｖ−Ｖ線に沿う拡大縦断側面図である。
【図６】図５のＶＩ−ＶＩ線に沿う横断平面図である。
【符号の説明】
【００２９】
２                照明装置本体
４                照明ケース
４ａ              上辺
４ｂ              垂下片
５                発光ダイオード
６                基板
７                射板
８                透光板
９                上部溝条
１０              下部溝条
１１              突条
１２              第２下部溝条
１３              保持部材
【図１】
2008123863.tif 000003
【図２】
2008123863.tif 000004
【図３】
2008123863.tif 000005
【図４】
2008123863.tif 000006
【図５】
2008123863.tif 000007
【図６】
2008123863.tif 000008